(57)【要約】    【課題】  燃焼機器本体を外装内に挿入しての組み立て作業の際、外装の排気出口穴周囲を傷付けることなく、外装内の所定の位置に燃焼機器本体を挿入して容易に組み込むことができる壁貫通設置型燃焼機を提供する。    【解決手段】  排気出口穴１４を設けた容器状の外装１３内に、上部に排気口８を突出する排気室５を組み付けた燃焼機器本体７を挿入して、燃焼機器本体７の排気口８を外装１３の排気出口穴１４に挿入して組み込まれる壁貫通設置型燃焼機の外装１３の内底面に２本の凸条１１と凸条１１の間に形成されるガイド部１１ａを設け、この外装１３のガイド部１１ａに燃焼機器本体７の下面に設けた凸部１５を嵌合して燃焼機器本体７を外装１３内の所定位置に組み込むことで、燃焼機器本体７の排気口８が外装１３の排気出口穴１４に挿入されるようにした壁貫通設置型燃焼機。    【選択図】  図２
2006153369.tif 000002
【特許請求の範囲】
【請求項１】
排気出口穴を設けた容器状の外装内に、上部に排気口を突出する排気室を組み付けた燃焼機器本体を挿入して、燃焼機器本体の排気口を上記外装の排気出口穴に挿入して組み込む壁貫通設置型燃焼機であって、上記外装の内底面に設けた２本の凸条の間に形成されるガイド部に前記燃焼機器本体の下面に設けた凸部を嵌合した状態で、外装内の所定位置に前記燃焼機器本体を組み込む壁貫通設置型燃焼機。
【請求項２】
外装の内底面に設けた２本の凸条間の間隔が、燃焼機器本体の外装内の奥側への挿入に伴って上記燃焼機器本体を外装内の所定位置に案内するように形成されている請求項１記載の壁貫通設置型燃焼機。
【発明の詳細な説明】
【技術分野】
【０００１】
本発明は、給排気口を屋外に位置させ浴室や台所などの外壁に設けた貫通孔内に設置して、給湯付き風呂釜や給湯機として使用する壁貫通設置型燃焼機に係り、より詳しくは、燃焼機器本体をこれを覆う外装内に挿入して壁貫通設置型燃焼機を組み立てる際に、外装の排気出口穴周囲を傷付けることなく組み立てられる構造に関する。
【背景技術】
【０００２】
図５に示すように、ガスを燃料として火炎２を作り、その熱エネルギーで温熱水を作る燃焼機として、燃焼部３の上に熱交換器４を設置し、その上に排気室５を配置して組み付けた燃焼機器本体７を外装１３と前カバー９で覆い、排気室５から排出される排気ガス６は、外装１３の背面に設けた排気出口穴１４から外部に排出される構造で、浴室などの壁の中に燃焼機器本体部分を貫通させて設置し、給排気口部分が屋外に突出する構造の壁貫通設置型燃焼機２０が知られている。（特許文献１参照）。
【０００３】
図５で示したように壁貫通設置型燃焼機２０は、燃焼機器本体７と、これを覆う外装１３と前カバー９から構成され、これらの組み立ては図６（ａ）の組立て説明図に示すように、上部に排気口８を突出する排気室５を組み付けた燃焼機器本体７は、外装１３の開口部側から外装１３内に挿入し、燃焼機器本体７の排気口８部分が外装１３の背面側に設けた排気出口穴１４に挿入される。そして、排気口８の周囲に設けたパッキン１０が外装１３の排気出口穴１４の開口周囲と接することで、外装１３内部に排気ガスが侵入するのを防止する構造が採られている。
なお、図６（ｂ）は図６（ａ）中のＦ−Ｆ方向からの外装の矢視図、図６（ｃ）は図６（ａ）中のＧ−Ｇ方向からの燃焼機器本体の矢視図、図７に燃焼機器本体７の排気室５部分の斜視図を示す。
【特許文献１】特開２００３−１４３１２号公報
【発明の開示】
【発明が解決しようとする課題】
【０００４】
しかしながら、図６（ａ）で示した燃焼機器本体７を外装１３内に挿入する際、燃焼機器本体７の排気口８部分を外装１３の排気出口穴１４に一度の作業で挿入することが難しいため、外装１３の排気出口穴１４の穴周囲に燃焼機器本体７の排気口８の凸部が接触する状態で燃焼機器本体７を何度か出し入れを繰り返し作業して、外装１３の排気出口穴１４に燃焼機器本体７の排気口８が嵌合するように挿入して組み立てられることがあり、このような繰り返しの出し入れ作業時の外装１３の排気出口穴１４部分への燃焼機器本体７の排気口８の凸部の接触によって、シール面となる外装１３の排気出口穴１４の穴周囲が傷付き、図６（ａ）で説明したパッキン１０が排気出口穴１４周囲と接することによる外装１３内部への排気ガスの侵入の阻止が不完全となる心配がある。
【０００５】
本発明は、燃焼機器本体を外装内に挿入しての組み立て作業の際に、外装の排気出口穴周囲を傷付けることなく、外装内の所定の位置に燃焼機器本体を挿入して容易に組み込むことができる壁貫通設置型燃焼機を提供するものである。
【課題を解決するための手段】
【０００６】
本発明は、次のものに関する。
（１）排気出口穴を設けた容器状の外装内に、上部に排気口を突出する排気室を組み付けた燃焼機器本体を挿入して、燃焼機器本体の排気口を上記外装の排気出口穴に挿入して組み込む壁貫通設置型燃焼機であって、上記外装の内底面に設けた２本の凸条の間に形成されるガイド部に前記燃焼機器本体の下面に設けた凸部を嵌合した状態で、外装内の所定位置に前記燃焼機器本体を組み込む壁貫通設置型燃焼機。
（２）外装の内底面に設けた２本の凸条間の間隔が、燃焼機器本体の外装内の奥側への挿入に伴って上記燃焼機器本体を外装内の所定位置に案内するように形成されている上記（１）記載の壁貫通設置型燃焼機。
（作用）
【０００７】
外装の内底面に設けた２本の凸条の間に形成されるガイド部（凹状のガイド部）に燃焼機器本体の下面に設けた凸部を嵌合した状態で燃焼機器本体を外装内に挿入することで、燃焼機器本体が外装内の定位置に案内され、燃焼機器本体の排気口が外装の排気出口穴に挿入される。
【発明の効果】
【０００８】
本発明の壁貫通設置型燃焼機によれば、燃焼機器本体を外装内に挿入して組み立てる際、外装の内底面に設けた２本の凸状の間に形成されるガイド部に燃焼機器本体下面の凸部が嵌合した状態で挿入されるため、押し込むだけで燃焼機器本体が外装内の定位置に案内されて燃焼機器本体の排気口を外装の排気出口穴に挿入することができ、挿入組み立て作業が容易になるとともに、燃焼機器本体挿入作業時の外装の排気出口穴周囲の傷付きが防止できる。
【発明を実施するための最良の形態】
【０００９】
２本の凸状の間に形成されるガイド部と燃焼機器本体下面の凸部は、燃焼機器本体を外装内に安定した状態で定位置に案内して挿入できるように、外装の内底面の左右２箇所に２本の凸状の間に形成されるガイド部を設け、又、燃焼機器本体下面の左右２箇所に上記のガイド部に嵌合する凸部を設けるようにするのが好ましい。
【００１０】
外装の内底面に設ける２本の凸条は、燃焼機器本体の挿入方向と平行となるように配設してガイド部に燃焼機器本体下面の凸部と嵌合する形状、又は、燃焼機器本体の外装内の奥側への挿入に伴って燃焼機器本体が外装内の所定の位置に案内されるように、２本の凸条間の間隔を外装の奥側方向に行くに随って燃焼機器本体下面の凸部と嵌合するように先閉じ形状（ハの字形）としてもよいが、燃焼機器本体を最初に外装内に挿入するときの組み込み作業のし易さを配慮すると先閉じ形状とするのが好ましい。
【実施例】
【００１１】
以下、図１乃至図４を参照しながら本発明による壁貫通設置型燃焼機の実施例を具体的に説明する。
図１（ａ）は浴室に設置した壁貫通設置型燃焼機の説明断面図、図（ｂ）は本発明による壁貫通設置型燃焼機の断面図、図１（ｃ）は図１（ｂ）中に示すＡ−Ａ断面図、図２（ａ）は本発明による壁貫通設置型燃焼機の組立て状態を示す説明側面図、図２（ｂ）は図２（ａ）中に示すＢ−Ｂ方向の矢視図、図２（ｃ）は図２（ａ）中に示すＣ−Ｃ方向の矢視図、図３（ａ）は図２（ａ）中に示すＤ方向の矢視図、図３（ｂ）は図３（ａ）と別実施例による図２（ａ）中に示すＤ方向の矢視図、図４（ａ）は図２（ａ）中に示すＥ方向の矢視図、図４（ｂ）は図４（ａ）と別実施例による図２（ａ）中に示すＥ方向の矢視図である。
【００１２】
図１（ａ）に示すように、壁貫通設置型燃焼機１は給排気口を屋外に位置させ浴室や台所などの外壁に設けた貫通孔内に設置して給湯付き風呂釜や給湯機として使用される。
そして、壁貫通設置型燃焼機１の構成は、図１（ｂ）に示すように、従来技術で説明した図５と同様に、燃焼部の上に熱交換器を設置し、その上に排気室を配置して組み付けた燃焼機器本体７と、燃焼機器本体７を覆う外装１３及び前カバー９から構成され、燃焼機器本体７には上部に排気口８を突出する排気室５が組み付けられる。
壁貫通設置型燃焼機１を組み立てる際、図２（ａ）に示すように燃焼機器本体７は、外装１３の開口部側から挿入し、ネジ１２にて外装１３のフランジ部に締結し、この締結後に外装１３の開口部に前カバー９が組付けられるようになっている。
【００１３】
図２（ａ）に示すように、燃焼機器本体７の上部に組み付けられた排気室５には、外装１３の背面側方向に突出した凸部の排気口８を有し、又、外装１３の背面側には、排気室５の排気口８を介して排気ガスを屋外へ排出するための開口を設けた排気出口穴１４が設けられる。
【００１４】
図２（ａ）、図２（ｃ）及び図３（ａ）、（ｂ）に示すように、外装１３内に挿入される燃焼機器本体７の下面の両端の２箇所には下方に突出して凸部１５が設けられる。この凸部１５は、燃焼機器本体７を外装１３に組み込んだときに、外装１３の内底面に接し外装１３の内底面を滑らせて挿入する。
【００１５】
一方、上記の燃焼機器本体７を挿入する外装１３には、図２（ｂ）及び図４（ａ）に示すように、外装１３の内底面の両端には、上方に突出した２本の凸条１１と凸条１１の間に、前記燃焼機器本体７の凸部１５が嵌合する凹状の形状のガイド部１１ａが形成される。
燃焼機器本体７を外装１３内に組み込む際、図１（ｃ）に示すように燃焼機器本体７の下面に設けた凸部１５を、外装１３の内底面に設けた２本の凸条１１と凸条１１との間に形成されるガイド部１１ａに嵌合して燃焼機器本体７を外装１３内に挿入することにより、燃焼機器本体７が外装１３内の所定の位置に左右に振れることなく組み付け位置まで案内され、図１（ｂ）に示すように燃焼機器本体７上部の排気口８が外装１３の排気出口穴１４に挿入される。
【００１６】
燃焼機器本体７の下面に設ける凸部１５は、図３（ａ）に示した丸形状に限らず、図３（ｂ）に示すような長丸であっても良く、前記のガイド部１１ａとの接触抵抗や燃焼機器本体７の挿入時の左右振れ具合によっても形状及び大きさを調整する。なお、加工性の観点からは図３（ａ）に示す丸ダボ形状とするのが好ましい。
【００１７】
又、外装１３の２本の凸条１１の間に形成するガイド部１１ａは、実施例では図４（ａ）に示す２本の凸条１１と凸条１１を燃焼機器本体７の挿入方向と平行になるよう配設したが、これに限らず、２本の凸条１１と凸条１１を図４（ｂ）に示すように燃焼機器本体７の挿入方向に対し先閉じのテーパ型としてもよい。
【００１８】
次に、外装１３に設ける２本の凸条１１の間に形成されるガイド部１１ａを配備する燃焼機器本体７挿入方向の長さとしては、燃焼機器本体７の排気口８が外装１３の排気出口穴１４に挿入嵌合し、組付け正規の適合位置になるときのガイド部１１ａの位置を一番奥側として、外装１３の開口側に向かい数センチ程度となるように配備する。好ましくは２００ｍｍ程度である。
【００１９】
外装１３に設けるガイド１１ａの燃焼機器本体７に対する左右方向の位置は、燃焼機器本体７の排気口８が排気出口穴１４に嵌合し、組付け正規の適合位置になるときの位置に配設される。
【図面の簡単な説明】
【００２０】
【図１】（ａ）は浴室に設置した状態の壁貫通設置型燃焼機の説明断面図、（ｂ）は本発明による壁貫通設置型燃焼機の縦断面図、（ｃ）は（ｂ）中に示すＡ−Ａ断面図である。
【図２】（ａ）は本発明による壁貫通設置型燃焼機の組立て状態を示す説明図、（ｂ）は（ａ）中に示すＢ−Ｂ方向の矢視図、（ｃ）は（ａ）中に示すＣ−Ｃ方向の矢視図である。
【図３】（ａ）は図２（ａ）中に示すＤ方向の矢視図、（ｂ）は（ａ）と別実施例による図２（ａ）中に示すＤ方向の矢視図である。
【図４】（ａ）は図２（ａ）中に示すＥ方向の矢視図、（ｂ）は（ａ）と別実施例による図２（ａ）中に示すＥ方向の矢視図である。
【図５】従来例の壁貫通設置型燃焼機の構造を示す説明縦断面図である。
【図６】（ａ）は従来例の壁貫通設置型燃焼機の組立て状態を示す説明説明図、（ｂ）は（ａ）中に示すＦ−Ｆ方向の矢視図、（ｃ）は（ａ）中に示すＧ−Ｇ方向の矢視図である。
【図７】従来例による壁貫通設置型燃焼機における排気室部分の説明斜視図である。
【符号の説明】
【００２１】
１  壁貫通設置型燃焼機                ２  火炎
３  燃焼部                            ４  熱交換器
５  排気室                            ６  排気ガス
７  燃焼機器本体                      ８  排気口
９  前カバー                        １０  パッキン
１１  凸条                          １１ａ  ガイド部
１２  ネジ                            １３  外装
１４  排気出口穴                      １５  凸部
２０  壁貫通設置型燃焼機
【図１】
2006153369.tif 000003
【図２】
2006153369.tif 000004
【図３】
2006153369.tif 000005
【図４】
2006153369.tif 000006
【図５】
2006153369.tif 000007
【図６】
2006153369.tif 000008
【図７】
2006153369.tif 000009